(57)【要約】    【課題】ナースステーション内に在室中の看護師が遂行する看護業務の利便性および作業効率を高める。    【解決手段】病室内の病床毎にそれぞれ設置された複数のベッド子機１ａ〜４ａ、１ｂ〜４ｂ、・・・のうち、聴取先の当該ベッド子機を一台または複数台選択して制御装置４０の制御装置記憶部４００に予め記憶させておく、或いは聴取先の当該ベッド子機を複数のグループに割り当てて制御装置の制御装置記憶部に予め記憶させておくことにより、ナースステーション内に在室中の看護師は、ナースコール親機にて聴取開始操作を行うことのみで、制御装置のＣＰＵ４０１の制御により制御装置記憶部から読み出された聴取先である一台または複数台の当該ベッド子機の子機マイク１０２に入力された音（送話音声）、或いは聴取先である選択されたグループに該当する当該ベッド子機の子機マイクに入力された音（送話音声）をもとに、聴取先の患者の様子を聴覚を通じて容易に確認することができる。  【選択図】図１
2006129229.tif 000002
【特許請求の範囲】
【請求項１】
病室内の病床毎にそれぞれ設置される複数のベッド子機（１ａ〜４ａ、１ｂ〜４ｂ、・・・）と、前記ベッド子機からの呼び出しがあることを表示し、看護師に知らせるための廊下灯（２０ａ、２０ｂ、・・・）と、ナースステーション内に設置され、前記ベッド子機から前記廊下灯を介して伝送されてくる呼び出しに応答するためのナースコール親機（３０）と、前記廊下灯および前記ナースコール親機をそれぞれ制御するための制御装置（４０）とを備え、
前記ベッド子機は、前記ナースコール親機への送話を形成するための子機マイク（１０２）を有し、
前記制御装置は、前記ナースコール親機の操作により、前記子機マイクからの送話を聴取したいベッド子機を一台または複数台選択して予め記憶するための制御装置記憶部（４００）と、聴取開始時には、前記ナースコール親機の操作により、前記制御装置記憶部に記憶されている前記ベッド子機の聴取を順次開始するためのＣＰＵ（４０１）とを有することを特徴とするナースコールシステム。
【請求項２】
前記制御装置記憶部は、前記ベッド子機の聴取先として複数のグループを記憶することにより、前記ナースコール親機の聴取開始操作で聴取先グループを選択後、選択されたグループの各ベッド子機を順次聴取することを特徴とする請求項１記載のナースコールシステム。
【請求項３】
前記制御装置記憶部は、過去に聴取した前記ベッド子機の履歴を記憶し、前記ナースコール親機の操作により、モニタ（３０４）に表示することを特徴とする請求項１または請求項２記載のナースコールシステム。
【請求項４】
病室内の病床毎にそれぞれ設置される複数のベッド子機（１ａ〜４ａ、１ｂ〜４ｂ、・・・）と、前記ベッド子機からの呼び出しがあることを表示し、看護師に知らせるための廊下灯（２０ａ、２０ｂ、・・・）と、ナースステーション内に設置され、前記ベッド子機から前記廊下灯を介して伝送されてくる呼び出しに応答するためのナースコール親機（３０）と、前記廊下灯および前記ナースコール親機をそれぞれ制御するための制御装置（４０）とを備え、
前記ベッド子機は、前記ナースコール親機からの送話を放音するための子機スピーカ（１０３）を有し、
前記制御装置は、前記ナースコール親機の操作により、放送したい前記ベッド子機を複数台選択して予め記憶するための制御装置記憶部（４００）と、選局放送開始時には、前記ナースコール親機の操作により、前記制御装置記憶部に予め記憶されているベッド子機への放送を前記子機スピーカにより開始するためのＣＰＵ（４０１）とを有することを特徴とするナースコールシステム。
【請求項５】
病室内の病床毎にそれぞれ設置される複数のベッド子機（１ａ〜４ａ、１ｂ〜４ｂ、・・・）と、前記ベッド子機からの呼び出しがあることを表示し、看護師に知らせるための廊下灯（２０ａ、２０ｂ、・・・）と、ナースステーション内に設置され、前記ベッド子機から前記廊下灯を介して伝送されてくる呼び出しに応答するためのナースコール親機（３０）と、前記廊下灯および前記ナースコール親機をそれぞれ制御するための制御装置（４０）とを備え、
前記ベッド子機は、前記ナースコール親機からの送話を放音するための子機スピーカ（１０３）を有し、
前記制御装置は、前記ナースコール親機の操作により、放送対象外のベッド子機を一台または複数台選択して予め記憶するための制御装置記憶部（４００）と、前記ナースコール親機の操作により、除局一斉放送開始時には、前記制御装置記憶部に記憶されているベッド子機を除いて、前記子機スピーカにより一斉放送を開始するためのＣＰＵ（４０１）とを有することを特徴とするナースコールシステム。
【請求項６】
病室内の病床毎にそれぞれ設置される複数のベッド子機（１ａ〜４ａ、１ｂ〜４ｂ、・・・）と、前記ベッド子機からの呼び出しがあることを表示し、看護師に知らせるための廊下灯（２０ａ、２０ｂ、・・・）と、ナースステーション内に設置され、前記ベッド子機から前記廊下灯を介して伝送されてくる呼び出しに応答するためのナースコール親機（３０）と、前記廊下灯および前記ナースコール親機をそれぞれ制御するための制御装置（４０）とを備え、
前記ベッド子機は、前記ナースコール親機からの送話を放音するための子機スピーカ（１０３）を有し、
前記制御装置は、前記ナースコール親機の操作により、放送したい病室を一室または複数室選択して予め記憶するための制御装置記憶部（４００）と、病室選局放送開始時には、前記ナースコール親機の操作により、前記記憶部に記憶されている病室への放送を前記子機スピーカにより開始するＣＰＵ（４０１）とを有することを特徴とするナースコールシステム。
【請求項７】
前記ナースコール親機は、前記制御装置記憶部に代えて、記憶すべき前記ベッド子機または前記病室を前記ナースコール親機毎個別に記憶するための親機記憶部（３０７）を有することを特徴とする請求項１乃至請求項６のうち何れか１項記載のナースコールシステム。
【発明の詳細な説明】
【技術分野】
【０００１】
本発明は、病院や看護施設等に設置されるナースコールシステムに係り、特に、ナースステーション内に在室中の看護師が遂行する看護業務の利便性および作業効率が高められたナースコールシステムに関する。
【背景技術】
【０００２】
従来から、この種のナースコールシステムとして、ナースステーション内に設置されるナースコール親機の表示部の視認性の向上が図られ、また、パーソナルコンピュータの不要化により全体としてコンパクトでかつシンプルにデザインし得るナースコール装置が開示されている（例えば、特許文献１を参照。）。
【０００３】
従来例のナースコール装置において、複数のナースコール子機がそれぞれ設置された病室のうち、特定の病室にのみ一斉放送（以下、ルーム一斉放送という。）を行うにあたり、ナースステーション内に在室中の看護師は、ナースコール親機にて所定のルーム一斉放送操作、例えば、カラーＬＣＤのルーム一斉表示部を操作してテンキー表示部で一斉放送先の病室に係る病室番号をタッチ入力していた。
【０００４】
また、複数のナースコール子機がそれぞれ設置された病室内に在室中の患者のうち、特定の患者の様子を子機マイクから聴取するにあたり、ナースステーション内に在室中の看護師は、ナースコール親機にて所定の聴取操作、例えば、カラーＬＣＤの聴取表示部を操作してテンキー表示部で聴取先の病室に係る病室番号をタッチ入力していた。
【０００５】
さらに、複数のナースコール子機がそれぞれ設置された病室のうち、全病室に除局一斉放送（以下、全室除局一斉放送という。）を行うにあたり、ナースステーション内に在室中の看護師は、ナースコール親機にて所定の除局一斉放送操作、例えば、カラーＬＣＤの一斉表示部を操作するとともに、テンキー表示部で放送対象外のナースコール子機に割り当てられている病床番号をタッチ入力していた（例えば、非特許文献１を参照。）。
【０００６】
【特許文献１】特開２００２−２３２５８０号公報（段落番号００４３、００４８、００５１、００５３、図１）
【非特許文献１】アイホン総合カタログ  ２００４／２００５年版（３３９頁）
【発明の開示】
【発明が解決しようとする課題】
【０００７】
しかしながら、従来例のナースコール装置において、ナースステーション内に在室中の看護師が前述のようなルーム一斉放送、聴取、全室除局一斉放送を行うにあたっては、各動作の開始時において所定のルーム一斉放送操作、聴取操作、除局一斉放送操作が必要とされ煩雑さを有しており作業効率が低く、緊急を要する場合、迅速な看護業務の遂行が困難となる虞があった。
【０００８】
本発明は、前述の難点を解消するためになされたもので、ナースステーション内に在室中の看護師が聴取、選局放送等の各動作を開始させるにあたり必要とされる操作を簡素化し、利便性および作業効率が高められた看護業務を遂行することができるナースコールシステムを提供すること目的としている。
【課題を解決するための手段】
【０００９】
前述の目的を達成するため、本発明のナースコールシステムは、病室内の病床毎にそれぞれ設置される複数のベッド子機と、ベッド子機からの呼び出しがあることを表示し、看護師に知らせるための廊下灯と、ナースステーション内に設置され、ベッド子機から廊下灯を介して伝送されてくる呼び出しに応答するためのナースコール親機と、廊下灯およびナースコール親機を制御するための制御装置とを備えたものである。ベッド子機は、ナースコール親機への送話を形成するための子機マイクを有している。制御装置は、ナースコール親機の操作により、子機マイクからの送話を聴取したいベッド子機を一台または複数台選択して予め記憶するための制御装置記憶部と、聴取開始時には、ナースコール親機の操作により、制御装置記憶部に記憶されているベッド子機の聴取を順次開始するためのＣＰＵとを有している。
【００１０】
また、本発明のナースコールシステムにおいて、制御装置記憶部は、ベッド子機の聴取先として複数のグループを記憶することにより、ナースコール親機の聴取開始操作で聴取先グループを選択後、選択されたグループの各ベッド子機を順次聴取するものである。
【００１１】
また、本発明のナースコールシステムにおいて、制御装置記憶部は、過去に聴取したベッド子機の履歴を記憶し、ナースコール親機の操作により、モニタに表示するものである。
【００１２】
また、本発明のナースコールシステムは、病室内の病床毎にそれぞれ設置される複数のベッド子機と、ベッド子機からの呼び出しがあることを表示し、看護師に知らせるための廊下灯と、ナースステーション内に設置され、ベッド子機から廊下灯を介して伝送されてくる呼び出しに応答するためのナースコール親機と、廊下灯およびナースコール親機を制御するための制御装置とを備えたものである。ベッド子機は、ナースコール親機からの送話を放音するための子機スピーカを有し、制御装置は、ナースコール親機の操作により、放送したいベッド子機を複数台選択して予め記憶するための制御装置記憶部と、放送開始時には、ナースコール親機の操作により、制御装置記憶部に予め記憶されているベッド子機への放送を子機スピーカにより開始するためのＣＰＵとを有している。
【００１３】
また、本発明のナースコールシステムは、病室内の病床毎にそれぞれ設置される複数のベッド子機と、ベッド子機からの呼び出しがあることを表示し、看護師に知らせるための廊下灯と、ナースステーション内に設置され、ベッド子機から廊下灯を介して伝送されてくる呼び出しに応答するためのナースコール親機と、廊下灯およびナースコール親機を制御するための制御装置とを備えたものである。ベッド子機は、ナースコール親機からの送話を放音するための子機スピーカを有している。制御装置は、ナースコール親機の操作により、放送対象外のベッド子機を一台または複数台選択して予め記憶するための制御装置記憶部と、ナースコール親機の操作により、除局一斉放送開始時には、制御装置記憶部に記憶されているベッド子機を除いて、子機スピーカにより一斉放送を開始するためのＣＰＵとを有している。
【００１４】
本発明のナースコールシステムは、病室内の病床毎にそれぞれ設置される複数のベッド子機と、ベッド子機からの呼び出しがあることを表示し、看護師に知らせるための廊下灯と、ナースステーション内に設置され、ベッド子機から廊下灯を介して伝送されてくる呼び出しに応答するためのナースコール親機と、廊下灯およびナースコール親機を制御するための制御装置とを備えたものである。ベッド子機は、ナースコール親機からの送話を放音するための子機スピーカを有している。制御装置は、ナースコール親機の操作により、放送したい病室を一室または複数室選択して予め記憶するための制御装置記憶部と、病室選局放送開始時には、ナースコール親機の操作により、記憶部に記憶されている病室への放送を子機スピーカにより開始するＣＰＵとを有している。
【００１５】
また、本発明のナースコールシステムにおいて、ナースコール親機は、制御装置記憶部に代えて、記憶すべきベッド子機または病室をナースコール親機毎個別に記憶するための親機記憶部を有している。
【発明の効果】
【００１６】
本発明のナースコールシステムによれば、病室内の病床毎にそれぞれ設置された複数のベッド子機のうち、聴取先の当該ベッド子機を一台または複数台選択して制御装置の制御装置記憶部に予め記憶させておく、或いは聴取先の当該ベッド子機を複数のグループに割り当てて制御装置の制御装置記憶部に予め記憶させておくことにより、ナースステーション内に在室中の看護師は、ナースコール親機にて聴取開始操作を行うことのみで、制御装置のＣＰＵの制御により制御装置記憶部から読み出された聴取先である一台または複数台の当該ベッド子機の子機マイクに入力された音（送話音声）、或いは聴取先である選択されたグループに該当する当該ベッド子機の子機マイクに入力された音（送話音声）をもとに、聴取先の患者の様子を聴覚を通じて容易に確認することができる。これにより、看護業務としてナースステーション内に在室中の看護師が聴取を開始させるにあたり、利便性および作業効率が高められる。なお、制御装置の制御装置記憶部には、過去に聴取した当該ベッド子機の履歴が記憶され、この履歴データは、ナースステーション内に在室中の看護師がナースコール親機にて簡単な操作を行うことでモニタに表示させることができる。
【００１７】
また、本発明のナースコールシステムによれば、病室内の病床毎にそれぞれ設置された複数のベッド子機のうち、選局放送先の当該ベッド子機を複数台選択して制御装置の制御装置記憶部に予め記憶させておくことにより、ナースステーション内に在室中の看護師は、ナースコール親機にて選局放送開始操作を行うことのみで、制御装置のＣＰＵの制御により制御装置記憶部から読み出された選局放送先である当該ベッド子機の子機スピーカから選局放送の内容を出力（放音）させることができる。これにより、看護業務としてナースステーション内に在室中の看護師が選局放送を開始させるにあたり、利便性および作業効率が高められる。
【００１８】
また、本発明のナースコールシステムによれば、病室内の病床毎にそれぞれ設置された複数のベッド子機のうち、放送対象外の当該ベッド子機を一台または複数台選択して制御装置の制御装置記憶部に予め記憶させておくことにより、ナースステーション内に在室中の看護師は、ナースコール親機にて除局一斉放送開始操作を行うことのみで、制御装置のＣＰＵの制御により制御装置記憶部から読み出された放送対象外の当該ベッド子機を除く除局一斉放送先である他の当該ベッド子機の子機スピーカから除局一斉放送の内容を出力（放音）させることができる。これにより、看護業務としてナースステーション内に在室中の看護師が除局一斉放送を開始させるにあたり、利便性および作業効率が高められる。
【００１９】
また、本発明のナースコールシステムによれば、複数のベッド子機が病床毎にそれぞれ設置された病室のうち、病室選局放送先の当該病室を一室または複数室選択して制御装置の制御装置記憶部に予め記憶させておくことにより、ナースステーション内に在室中の看護師は、ナースコール親機にて病室選局放送開始操作を行うことのみで、制御装置のＣＰＵの制御により制御装置記憶部から読み出された病室選局放送先である病室内の当該ベッド子機の子機スピーカから病室選局放送の内容を出力（放音）させることができる。これにより、看護業務としてナースステーション内に在室中の看護師が病室選局放送を開始させるにあたり、利便性および作業効率が高められる。
【００２０】
さらに、本発明のナースコールシステムによれば、制御装置の制御装置記憶部に代えて、当該制御装置記憶部と同様な機能を有する親機記憶部をナースコール親機に備えることもできる。
【発明を実施するための最良の形態】
【００２１】
以下、本発明のナースコールシステムを適用した最良の実施の形態例について、図面を参照して説明する。
【００２２】
図１は、本発明の実施例によるナースコールシステムを示すシステム構成図である。
【００２３】
図１のシステム構成図に示すナースコールシステムは、病院や看護施設等において、１０１号室、１０２号室、・・・のような（複数の）病室内の病床毎にそれぞれ設置され個別の子機番号（詳述せず）有しており、病床毎の被看護人、例えば、患者が、看護人、例えば、ナースステーション内に在室中の看護師に対して通常の呼び出し（通常のナースコール呼び出しと同意。）を行い通話を成立させるとともに、前述の患者を看護／担当している看護師が緊急を要し、他の看護師であるナースステーション内に在室中の看護師に対して緊急呼び出しを行い通話を成立させるばかりでなく、患者の様子が聴取され、さらにナースステーション内に在室中の看護師からの放送（選局放送、除局一斉放送、病室選局放送）の内容が出力（放音）される複数のベッド子機（ナースコール子機と同意。）、ここでは、病室毎４台の各病床にそれぞれ設置されたベッド子機１ａ〜４ａ、１ｂ〜４ｂ、・・・と、病室毎に設置、例えば、病室の出入口近傍や廊下先にそれぞれ設置され個別の廊下灯番号（詳述せず）を有しており、子機ラインＬ1a、Ｌ1b、・・・をそれぞれ介してベッド子機１ａ〜４ａ、１ｂ〜４ｂ、・・・がバス接続され、病室内の病床毎の患者からの通常呼び出し、または病室内の病床毎の患者を看護／担当している看護師からの緊急呼び出しを検出して、その旨を、病室の出入口近傍や廊下先に居る看護師に知らせるとともに、呼出元の患者または看護師と呼出先の看護師との間で成立される通話の通話路を形成するための廊下灯２０ａ、２０ｂ、・・・と、ナースステーション内に設置されており、病室内の病床毎の患者からの通常呼び出し、または病室内の病床毎の患者を看護／担当している看護師からの緊急呼び出しがある旨の報知（放音、表示）が行われ、これを確認して応答した呼出先の看護師が呼出元の患者または看護師との間で通話を成立させるとともに、当該ナースステーション内に在室中の看護師が病室内の病床毎の患者のうち特定の患者の様子を聴取し、さらに、放送（選局放送、除局一斉放送、病室選局放送）のための内容を入力するためのナースコール親機３０と、廊下灯ラインＬ2を介してバス接続された廊下灯２０ａ、２０ｂ、・・・および親機ラインＬ3を介して接続されたナースコール親機３０をそれぞれ制御するための制御装置（ナースコール制御装置と同意。）４０とから構成されている。
【００２４】
なお、複数のベッド子機１ａ〜４ａ、１ｂ〜４ｂ、・・・および廊下灯２０ａ、２０ｂ、・・・の間は、前述のような子機ラインＬ1a、Ｌ1b、・・・をそれぞれ介してバス接続させたが、この接続形態に限定されず、複数のベッド子機１ａ〜４ａ、１ｂ〜４ｂ、・・・および廊下灯２０ａ、２０ｂ、・・・をそれぞれ個別に接続する形態も好適である。
【００２５】
また、廊下灯２０ａ、２０ｂ、・・・および制御装置４０の間についても、前述のような廊下灯ラインＬ2を介してバス接続させたが、この接続形態に限定されず、廊下灯２０ａ、２０ｂ、・・・および制御装置４０を渡り配線で接続する形態も好適である。
【００２６】
複数のベッド子機１ａ〜４ａ、１ｂ〜４ｂ、・・・はそれぞれ同様な構成であり、病室内の病床毎の患者が通常呼び出しのための操作を行う呼出ボタン１００と、病室内の病床毎の患者を看護／担当している看護師が緊急呼び出しのための操作を行うスタッフコールボタン１０１と、呼出元または聴取先である病室内の病床毎の患者、或いは呼出元である病室内の病床毎の患者を看護／担当している看護師が、呼出先または聴取元であるナースステーション内に在室中の看護師との間で通話を成立させるための音声（送話音声）を入力するとともに、病室内の病床毎の患者の様子を聴取するマイク（以下、子機マイクという。）１０２と、呼出元または聴取先である病室内の病床毎の患者、或いは呼出元である病室内の病床毎の患者を看護／担当している看護師が、呼出先または聴取元であるナースステーション内に在室中の看護師との間で通話を成立させるための音声（受話音声）を出力（放音）するとともに、ナースステーション内に在室中の看護師からの放送（選局放送、除局一斉放送、病室選局放送）の内容が出力（放音）されるスピーカ（以下、子機スピーカという。）１０３とを有している。
【００２７】
また、ナースコール親機３０は、ナースステーション内に在室中の看護師が呼出元または聴取先である病室内の病床毎の患者、或いは呼出元である病室内の病床毎の患者を看護／担当している看護師との間で通話を成立させるための音声（送話音声、受話音声）を入力／出力（放音）するとともに、放送（選局放送、除局一斉放送、病室選局放送）の内容を入力するためのハンドセット３００と、ナースステーション内に在室中の看護師が放送（選局放送、除局一斉放送、病室選局放送）の内容を入力するためのマイク（以下、親機マイクという。）３０１と、病室内の病床毎の患者からの通常呼び出しがある旨の通常呼出音、または病室内の病床毎の患者を看護／担当している看護師からの緊急呼び出しがある旨の緊急呼出音等が出力（放音）されるとともに、ナースステーション内に在室中の看護師が前述の親機マイク３０１とともに拡声通話を成立させるために使用し、音声（受話音声）が出力（放音）されるスピーカ（以下、親機スピーカといい、拡声スピーカと同意である。）３０２と、ナースステーション内に在室中の看護師が前述の親機マイク３０１および親機スピーカ３０２を使用した拡声通話を終了させるために操作する終話ボタン３０３と、病室内の病床毎の患者からの通常呼び出しがある旨、または病室内の病床毎の患者を看護／担当している看護師からの緊急呼び出しがある旨、制御装置４０の後述する制御装置記憶部４００に予め記憶されていた聴取の履歴データ等を文字や絵等を用いて表示するとともに、ナースステーション内に在室中の看護師による各種の登録操作、例えば、複数のベッド子機１ａ〜４ａ、１ｂ〜４ｂ、・・・のうち聴取先の当該ベッド子機を一台または複数台、或いは複数のグループとして割り当てて選択して予め登録するための操作、複数のベッド子機１ａ〜４ａ、１ｂ〜４ｂ、・・・のうち選局放送先の当該ベッド子機を複数台選択して予め登録するための操作、複数のベッド子機１ａ〜４ａ、１ｂ〜４ｂ、・・・のうち放送対象外の当該ベッド子機を一台または複数台選択して予め登録するための操作、１０１号室、１０２号室、・・・のような複数の病室のうち病室選局放送先の当該病室を一室または複数室選択して予め登録するための操作と、前述の登録操作により選択された当該ベッド子機または病室への動作を開始させるための起動操作等を行うためのタッチパネル３０４ａが備えられた（カラー）ＬＣＤ（Liquid Crystal Display）、有機ＥＬ（Electro Luminescence）ディスプレイ等のモニタ３０４と、病室内の病床毎、すなわち、複数のベッド子機１ａ〜４ａ、１ｂ〜４ｂ、・・・毎に割り当てられており、聴取先または放送対象外の当該ベッド子機を選択するための病床選択ボタン３０５と、病室内の病床毎、すなわち、複数のベッド子機１ａ〜４ａ、１ｂ〜４ｂ、・・・毎に割り当てられており、病室内の病床毎の患者からの通常呼び出しがある旨、または病室内の病床毎の患者を看護／担当している看護師からの緊急呼び出しがある旨の呼出表示、呼出元または聴取先である患者、或いは呼出元である看護師と呼出先である（当該ナースステーション内に在室中の）看護師との間で通話が成立している旨の話中表示、複数のベッド子機１ａ〜４ａ、１ｂ〜４ｂ、・・・が聴取中であること等の状態表示を行うための複数のＬＥＤ（Light Emitting Diode）からなる表示灯３０６とを有している。
【００２８】
さらに、制御装置４０は、ナースコール親機３０にて行われた前述の登録操作により選択された聴取先である当該ベッド子機の子機番号、選局放送先である当該ベッド子機の子機番号、放送対象外である当該ベッド子機の子機番号、病室選局放送先である当該病室の病室番号をそれぞれ記憶するとともに、聴取された当該ベッド子機の履歴データを記憶し、複数のベッド子機１ａ〜４ａ、１ｂ〜４ｂ、・・・にそれぞれ割り当てられた子機番号および廊下灯２０ａ、２０ｂ、・・・にそれぞれ割り当てられた廊下灯番号が予め記憶されているＲＡＭ（Random Access Memory）、ＥＰＲＯＭ（Erasable Programmable Read Only Memory）等の記憶部（以下、制御装置記憶部という。）４００と、制御装置記憶部４００に予め記憶されている各種データをもとに、当該システムの動作を制御するためのＣＰＵ（Central Processing Unit）４０１とを有している。
【００２９】
このように構成された本発明の実施例によるナースコールシステムにおいて、以下、具体的な動作について説明する。
【００３０】
なお、本発明の実施例において、１０１号室、１０２号室、・・・のような（複数の）病室内の病床毎の患者のうち、特定の患者がナースステーション内に在室中の看護師に対して通常の呼び出しがあり、ベッド子機１ａ〜４ａ、１ｂ〜４ｂ、・・・の呼出ボタン１００を操作し、この通常呼び出しを検出した廊下灯２０ａ、２０ｂ、・・・にて適宜、通常呼出表示を行い病室の出入口近傍や廊下先に居る看護師に知らせるとともに、ナースコール親機３０の親機スピーカ３０２、モニタ３０４および呼出元に該当した表示灯３０６をそれぞれ使用して通常呼出報知（通常呼出音の放音、通常呼出表示）を行い、これを確認して取り上げられたハンドセット３００（のマイクおよびレシーバ）と呼出元である当該ベッド子機の子機マイク１０２および子機スピーカ１０３との間の通話路（送話路、受話路）を形成して通話を成立させる動作と、１０１号室、１０２号室、・・・のような（複数の）病室内の病床毎の患者を看護／担当している看護師のうち、特定の看護師がナースステーション内に在室中の看護師に対して緊急の呼び出しがあり、ベッド子機１ａ〜４ａ、１ｂ〜４ｂ、・・・のスタッフコールボタン１０１を操作し、この緊急呼び出しを検出した廊下灯２０ａ、２０ｂ、・・・にて適宜、緊急呼出表示を行い病室の出入口近傍や廊下先に居る看護師に知らせるとともに、ナースコール親機３０の親機スピーカ３０２、モニタ３０４および呼出元に該当した表示灯３０６をそれぞれ使用して緊急呼出報知（緊急呼出音の放音、緊急呼出表示）を行い、また、通話路（送話路）が形成された呼出元である当該ベッド親機の子機マイク１０２からの送話音声を親機スピーカ３０２より出力（放音）させ、これを確認して取り上げられたハンドセット３００（のマイクおよびレシーバ）と呼出元であるベッド子機の子機マイク１０２および子機スピーカ１０３との間の通話路（送話路、受話路）を形成して通話を成立させる動作とは、それぞれ今般開示した先行技術の該当動作やその他のナースコール関連技術文献において既に開示されている該当動作と同様であることから、その説明は省略する。
［第１の動作］
本発明の実施例による第１の動作について説明する。
【００３１】
図１のシステム構成図において、複数のベッド子機１ａ〜４ａ、１ｂ〜４ｂ、・・・がそれぞれ設置された病室内の病床毎の患者のうち、一人または複数人の患者の様子、ここでは、１０１号室内でベッド子機１ａが病床に設置されている患者、１０２号室内でベッド子機１ｂが病床に設置されている患者の様子を子機マイク１０２から順次聴取するにあたり、聴取先のベッド子機１ａ、１ｂを選択して制御装置４０の制御装置記憶部４００に予め記憶させるためには、ナースコール親機３０のモニタ３０４上のタッチパネル３０４ａに予め表示されている聴取先病床登録ボタン（図示せず）をナースステーション内に在室中の看護師が操作した後、ベッド子機１ａ、１ｂにそれぞれ割り当てられている病床選択ボタン３０５を順次操作する。これらの登録操作を検出したナースコール親機３０は、ベッド子機１ａ、１ｂの各子機番号を聴取先の順序として付加させた聴取先病床登録信号を生成する。この聴取先病床登録信号は、ナースコール親機３０から親機ラインＬ3を介して制御装置４０へと伝送される。
【００３２】
制御装置４０のＣＰＵ４０１は、ナースコール親機３０からの聴取先病床登録信号に付加されている各子機番号をもとに、当該ナースコール親機からの聴取先として、複数のベッド子機１ａ〜４ａ、１ｂ〜４ｂ、・・・のうち、１番目の聴取先がベッド子機１ａであり２番目の聴取先がベッド子機１ｂであることを検出し、その旨の聴取先病床設定データを制御装置記憶部４００に記憶する。
【００３３】
前述のように、複数のベッド子機１ａ〜４ａ、１ｂ〜４ｂ、・・・のうち、１番目の聴取先がベッド子機１ａであり２番目の聴取先がベッド子機１ｂである旨の聴取先病床設定データが制御装置４０の制御装置記憶部４００に予め記憶されている状態において、ナースステーション内に在室中の看護師がナースコール親機３０のモニタ３０４上のタッチパネル３０４ａに予め表示されている聴取開始ボタン（図示せず）を操作すると、当該ナースコール親機から親機ラインＬ3を介して制御装置４０へと聴取起動信号（以下、第１の聴取起動信号という。）が伝送されるとともに、親機ラインＬ3から当該ナースコール親機の親機スピーカ３０２への信号伝送路が形成される。
【００３４】
制御装置４０のＣＰＵ４０１は、ナースコール親機３０からの第１の聴取起動信号をもとに、ナースステーション内に在室中の看護師により聴取開始のための操作が行われたことを検出し、制御装置記憶部４００に予め記憶されている聴取先病床設定データ、すなわち、１番目の聴取先がベッド子機１ａであり２番目の聴取先がベッド子機１ｂである旨の聴取先病床設定データを読み出す。また、ＣＰＵ４０１は、１番目の聴取先であるベッド子機１ａが聴取中である旨の履歴データを制御装置記憶部４００に記憶させ、このベッド子機１ａを指定するための子機番号および当該子機番号に割り当てられて予め記憶されている廊下灯番号、すなわち、廊下灯２０ａを指定するための廊下灯番号を制御装置記憶部４００から読み出し、読み出した子機番号および廊下灯番号を付加させた聴取信号（以下、第１の聴取信号という。）を生成するとともに、廊下灯ラインＬ2から親機ラインＬ3への信号伝送路について制御装置記憶部４００に予め記憶されている所定の時間内形成する。なお、ＣＰＵ４０１にて生成された第１の聴取信号は、廊下灯ラインＬ2を介して全ての廊下灯２０ａ、２０ｂ、・・・へとそれぞれ伝送される。
【００３５】
全ての廊下灯２０ａ、２０ｂ、・・・は、それぞれ制御装置４０のＣＰＵ４０１からの第１の聴取信号に付加されている廊下灯番号と自廊下灯の廊下灯番号とを照合する。ここでは、廊下灯２０ａのみ当該廊下灯番号が一致し、この廊下灯２０ａは、１番目の聴取先であるベッド子機１ａの子機マイク１０２から子機ラインＬ1a、当該廊下灯を介して廊下灯ラインＬ2への信号伝送路を形成することにより、ベッド子機１ａの子機マイク１０２からナースコール親機３０の親機スピーカ３０２への通話路が形成されることになる。これにより、ナースステーション内に在室中の看護師は、ナースコール親機３０のモニタ３０４上のタッチパネル３０４ａに予め表示されている聴取開始ボタン（図示せず）を操作するような簡単な操作を行うことのみで、ベッド子機１ａの子機マイク１０２に入力され親機スピーカ３０２から出力（放音）された音（送話音声）をもとに、聴取先として１番目に選択された１０１号室内でベッド子機１ａが病床に設置されている患者の様子を聴覚を通じて容易に確認することができる。
【００３６】
前述のように、聴取先として選択されたベッド子機１ａ、１ｂのうち、１番目の聴取先である１０１号室内でベッド子機１ａが病床に設置されている患者の様子がナースコール親機３０の親機スピーカ３０２から出力（放音）され、当該聴取の時間が制御装置４０のＣＰＵ４０１にて計時され制御装置記憶部４００に予め記憶されている所定の時間を経過すると、このタイムアップを検出したＣＰＵ４０１は、２番目に聴取する聴取先のベッド子機１ｂが聴取中である旨の履歴データを制御装置記憶部４００に記憶させ、このベッド子機１ｂを指定するための子機番号および当該子機番号に割り当てられて予め記憶されている廊下灯番号、すなわち、廊下灯２０ｂを指定するための廊下灯番号を制御装置記憶部４００から読み出し、読み出した子機番号および廊下灯番号を付加させた聴取信号（以下、第２の聴取信号という。）を生成するとともに、廊下灯ラインＬ2から親機ラインＬ3への信号伝送路について制御装置記憶部４００に予め記憶されている所定の時間内、再度形成する。なお、ＣＰＵ４０１にて生成された第２の聴取信号は、前述の第１の聴取信号と同様な経路を介して全ての廊下灯２０ａ、２０ｂ、・・・へとそれぞれ伝送される。
【００３７】
全ての廊下灯２０ａ、２０ｂ、・・・は、それぞれ制御装置４０のＣＰＵ４０１からの第２の聴取信号に付加されている廊下灯番号と自廊下灯の廊下灯番号とを照合する。ここでは、廊下灯２０ｂのみ当該廊下灯番号が一致し、この廊下灯２０ｂは、２番目の聴取先であるベッド子機１ｂの子機マイク１０２から子機ラインＬ1b、当該廊下灯を介して廊下灯ラインＬ2への信号伝送路を形成することにより、ベッド子機１ｂの子機マイク１０２からナースコール親機３０の親機スピーカ３０２への通話路が形成されることになる。これにより、ナースステーション内に在室中の看護師は、ナースコール親機３０のモニタ３０４上のタッチパネル３０４ａに予め表示されている聴取開始ボタン（図示せず）を操作するような簡単な操作を行うことのみで、ベッド子機１ｂの子機マイク１０２に入力され親機スピーカ３０２から出力（放音）された音（送話音声）をもとに、聴取先として２番目に選択された１０２号室内でベッド子機１ｂが病床に設置されている患者の様子を聴覚を通じて容易に確認することができる。
【００３８】
また、前述のように聴取の動作が終了した後において、ナースステーション内に在室中の看護師がナースコール親機３０のモニタ３０４上のタッチパネル３０４ａに予め表示されている一括履歴読出ボタン（図示せず）を操作すると、当該ナースコール親機から親機ラインＬ3を介して制御装置４０へと一括履歴読出信号が伝送される。
【００３９】
制御装置４０のＣＰＵ４０１は、ナースコール親機３０からの一括履歴読出信号をもとに、ナースステーション内に在室中の看護師により一括履歴読み出しのための操作が行われたことを検出し、制御装置記憶部４００に予め記憶されている過去の全聴取履歴データ、例えば、１０１号室内でベッド子機１ａが病床に設置されている患者、１０２号室内でベッド子機１ｂが病床に設置されている患者に関する聴取履歴データ（以下、第１の聴取履歴データという。）を読み出す。この第１の聴取履歴データは、前述の履歴読出信号と逆の経路を介してナースコール親機３０へと伝送される。
【００４０】
ナースコール親機３０では、制御装置４０からの第１の聴取履歴データをもとに、過去の全聴取履歴データである１０１号室内でベッド子機１ａが病床に設置されている患者、１０２号室内でベッド子機１ｂが病床に設置されている患者の聴取履歴データを、モニタ３０４に文字や絵等を用いて表示させ、ナースステーション内に在室中の看護師に報知することができる。
【００４１】
なお、前述の説明では、ナースステーション内に在室中の看護師により行われる履歴読出操作として、ナースコール親機３０のモニタ３０４上のタッチパネル３０４ａに予め表示されている一括履歴読出ボタン（図示せず）の操作を適用し、制御装置４０の制御装置記憶部４００に予め記憶されている過去の全聴取履歴データを読み出させたが、この履歴読出操作に限定されず、ナースコール親機３０のモニタ３０４上のタッチパネル３０４ａに予め表示されている履歴読出ボタン（図示せず）を操作した後、聴取履歴データを制御装置記憶部４００から読み出したい当該ベッド子機に割り当てられている病床選択ボタン３０５を操作することにより、制御装置４０の制御装置記憶部４００に予め記憶されている過去の全聴取履歴データのうち、読み出したい患者の聴取履歴データのみを、モニタ３０４に文字や絵等を用いて表示させ、ナースステーション内に在室中の看護師に報知することができる。
［第２の動作］
次に、本発明の実施例による第２の動作について説明する。
【００４２】
図１のシステム構成図において、複数のベッド子機１ａ〜４ａ、１ｂ〜４ｂ、・・・がそれぞれ設置された病室内の病床毎の患者を複数のグループに割り当てる、ここでは、１０１号室内でベッド子機１ａ、４ａがそれぞれ病床に設置されている患者を第１グループ、１０２号室内でベッド子機１ｂ、４ｂがそれぞれ病床に設置されている患者を第２グループに割りあてて、何れか１のグループに該当する患者の様子を子機マイク１０２から聴取するにあたり、前述の２つのグループを制御装置４０の制御装置記憶部４００に予め記憶させるためには、ナースコール親機３０のモニタ３０４上のタッチパネル３０４ａに予め表示されている聴取先グループ登録ボタン（図示せず）をナースステーション内に在室中の看護師が操作して第１グループを選択した後、ベッド子機１ａ、４ａにそれぞれ割り当てられている病床選択ボタン３０５を順次操作し、さらに、聴取先グループ登録ボタン（図示せず）を操作して第２グループを選択した後、ベッド子機１ｂ、４ｂにそれぞれ割り当てられている病床選択ボタン３０５を順次操作する。これらの登録操作を検出したナースコール親機３０は、ベッド子機１ａ、４ａの各子機番号を聴取先の順序として第１グループのグループ番号（詳述せず）に付加させたグループ設定データ（以下、第１のグループ設定データという。）と、ベッド子機１ｂ、４ｂの各子機番号を聴取先の順序として第２グループのグループ番号（詳述せず）に付加させたグループ設定データ（以下、第２のグループ設定データという。）とを含む聴取先グループ登録信号を生成する。この聴取先グループ登録信号は、ナースコール親機３０から親機ラインＬ3を介して制御装置４０へと伝送される。
【００４３】
制御装置４０のＣＰＵ４０１は、ナースコール親機３０からの聴取先グループ登録信号に含まれた第１、第２の各グループ設定データに付加されている各子機番号およびグループ番号をもとに、当該ナースコール親機からの聴取先として、複数のベッド子機１ａ〜４ａ、１ｂ〜４ｂ、・・・のうち、第１グループとして１番目の聴取先がベッド子機１ａであり２番目の聴取先がベッド子機４ａであることと、第２グループとして１番目の聴取先がベッド子機１ｂであり２番目の聴取先がベッド子機４ｂであることとを検出し、その旨の聴取先グループ設定データを制御装置記憶部４００に記憶する。
【００４４】
前述のように、複数のベッド子機１ａ〜４ａ、１ｂ〜４ｂ、・・・のうち、第１グループとして１番目の聴取先がベッド子機１ａであり２番目の聴取先がベッド子機４ａであることと、第２グループとして１番目の聴取先がベッド子機１ｂであり２番目の聴取先がベッド子機４ｂである旨の聴取先グループ設定データが制御装置４０の制御装置記憶部４００に予め記憶されている状態において、ナースステーション内に在室中の看護師がナースコール親機３０のモニタ３０４上のタッチパネル３０４ａに予め表示されている第１グループに該当した聴取開始ボタン（図示せず）を操作すると、当該ナースコール親機から親機ラインＬ3を介して制御装置４０へと第１グループのグループ番号を付加させた聴取起動信号（以下、第２の聴取起動信号という。）が伝送されるとともに、親機ラインＬ3から当該ナースコール親機の親機スピーカ３０２への信号伝送路が形成される。
【００４５】
制御装置４０のＣＰＵ４０１は、ナースコール親機３０からの第２の聴取起動信号に付加されているグループ番号をもとに、ナースステーション内に在室中の看護師により第１グループへの聴取開始のための操作が行われたことを検出し、制御装置記憶部４００に予め記憶されている聴取先グループ設定データから第１グループとして１番目の聴取先がベッド子機１ａであり２番目の聴取先がベッド子機４ａである旨の聴取先グループ設定データを読み出す。また、ＣＰＵ４０１は、第１グループとして１番目の聴取先であるベッド子機１ａが聴取中である旨の履歴データを制御装置記憶部４００に記憶させ、このベッド子機１ａを指定するための子機番号および当該子機番号に割り当てられて予め記憶されている廊下灯番号、すなわち、廊下灯２０ａを指定するための廊下灯番号を制御装置記憶部４００から読み出し、読み出した子機番号および廊下灯番号を付加させた聴取信号（以下、第３の聴取信号という。）を生成するとともに、廊下灯ラインＬ2から親機ラインＬ3への信号伝送路について制御装置記憶部４００に予め記憶されている所定の時間内形成する。なお、ＣＰＵ４０１にて生成された第３の聴取信号は、廊下灯ラインＬ2を介して全ての廊下灯２０ａ、２０ｂ、・・・へとそれぞれ伝送される。
【００４６】
全ての廊下灯２０ａ、２０ｂ、・・・は、それぞれ制御装置４０のＣＰＵ４０１からの第３の聴取信号に付加されている廊下灯番号と自廊下灯の廊下灯番号とを照合する。ここでは、廊下灯２０ａのみ当該廊下灯番号が一致し、この廊下灯２０ａは、第１グループとして１番目の聴取先であるベッド子機１ａの子機マイク１０２から子機ラインＬ1a、当該廊下灯を介して廊下灯ラインＬ2への信号伝送路を形成することにより、ベッド子機１ａの子機マイク１０２からナースコール親機３０の親機スピーカ３０２への通話路が形成されることになる。これにより、ナースステーション内に在室中の看護師は、ナースコール親機３０のモニタ３０４上のタッチパネル３０４ａに予め表示されている第１グループに該当した聴取開始ボタン（図示せず）を操作するような簡単な操作を行うことのみで、ベッド子機１ａの子機マイク１０２に入力され親機スピーカ３０２から出力（放音）された音（送話音声）をもとに、第１グループの聴取先として１番目に選択された１０１号室内でベッド子機１ａが病床に設置されている患者の様子を聴覚を通じて容易に確認することができる。
【００４７】
前述のように、第１グループの聴取先として選択されたベッド子機１ａ、４ａのうち、１番目の聴取先である１０１号室内でベッド子機１ａが病床に設置されている患者の様子がナースコール親機３０の親機スピーカ３０２から出力（放音）され、当該聴取の時間が制御装置４０のＣＰＵ４０１にて計時され制御装置記憶部４００に予め記憶されている所定の時間を経過すると、このタイムアップを検出したＣＰＵ４０１は、第１グループとして２番目に聴取する聴取先のベッド子機４ａが聴取中である旨の履歴データを制御装置記憶部４００に記憶させ、このベッド子機４ａを指定するための子機番号および当該子機番号に割り当てられて予め記憶されている廊下灯番号、すなわち、廊下灯２０ａを指定するための廊下灯番号を制御装置記憶部４００から読み出し、読み出した子機番号および廊下灯番号を付加させた聴取信号（以下、第４の聴取信号という。）を生成するとともに、廊下灯ラインＬ2から親機ラインＬ3への信号伝送路について制御装置記憶部４００に予め記憶されている所定の時間内、再度形成する。また、ＣＰＵ４０１にて生成された第４の聴取信号は、前述の第３の聴取信号と同様な経路を介して全ての廊下灯２０ａ、２０ｂ、・・・へとそれぞれ伝送される。
【００４８】
全ての廊下灯２０ａ、２０ｂ、・・・は、それぞれ制御装置４０のＣＰＵ４０１からの第３の聴取信号に付加されている廊下灯番号と自廊下灯の廊下灯番号とを照合する。ここでは、廊下灯２０ａのみ当該廊下灯番号が一致し、この廊下灯２０ａは、第１グループとして２番目の聴取先であるベッド子機４ａの子機マイク１０２から子機ラインＬ1a、当該廊下灯を介して廊下灯ラインＬ2への信号伝送路を形成することにより、ベッド子機４ａの子機マイク１０２からナースコール親機３０の親機スピーカ３０２への通話路が形成されることになる。これにより、ナースステーション内に在室中の看護師は、ナースコール親機３０のモニタ３０４上のタッチパネル３０４ａに予め表示されている第１グループに該当した聴取開始ボタン（図示せず）を操作するような簡単な操作を行うことのみで、ベッド子機４ａの子機マイク１０２に入力され親機スピーカ３０２から出力（放音）された音（送話音声）をもとに、第１グループの聴取先として２番目に選択された１０１号室内でベッド子機４ａが病床に設置されている患者の様子を聴覚を通じて容易に確認することができる。
【００４９】
また、前述のように聴取の動作が終了した後において、ナースステーション内に在室中の看護師がナースコール親機３０のモニタ３０４上のタッチパネル３０４ａに予め表示されている一括履歴読出ボタン（図示せず）を操作すると、当該ナースコール親機から親機ラインＬ3を介して制御装置４０へと一括履歴読出信号が伝送される。
【００５０】
制御装置４０のＣＰＵ４０１は、ナースコール親機３０からの一括履歴読出信号をもとに、ナースステーション内に在室中の看護師により一括履歴呼び出しのための操作が行われたことを検出し、制御装置記憶部４００に予め記憶されている過去の全聴取履歴データ、例えば、第１グループとして１０１号室内でベッド子機１ａが病床に設置されている患者、１０１号室内でベッド子機４ａが病床に設置されている患者に関する聴取履歴データ（以下、第２の聴取履歴データという。）を読み出す。この第２の聴取履歴データは、前述の履歴読出信号と逆の経路を介してナースコール親機３０へと伝送される。
【００５１】
ナースコール親機３０では、制御装置４０からの第２の聴取履歴データをもとに、過去の全聴取履歴データである第１グループとして１０１号室内でベッド子機１ａが病床に設置されている患者、１０１号室内でベッド子機４ａが病床に設置されている患者の聴取履歴データを、モニタ３０４に文字や絵等を用いて表示させ、ナースステーション内に在室中の看護師に報知することができる。
【００５２】
なお、前述の説明では、ナースステーション内に在室中の看護師により行われる履歴読出操作として、ナースコール親機３０のモニタ３０４上のタッチパネル３０４ａに予め表示されている一括履歴読出ボタン（図示せず）の操作を適用し、制御装置４０の制御装置記憶部４００に予め記憶されている過去の全聴取履歴データを読み出させたが、この履歴読出操作に限定されず、ナースコール親機３０のモニタ３０４上のタッチパネル３０４ａに予め表示されている履歴読出ボタン（図示せず）を操作した後、聴取履歴データを制御装置記憶部４００から読み出したい当該グループに割り当てられているグループ選択ボタン（図示せず）を操作する、または第１の動作と同様、読み出したい当該ベッド子機に割り当てられている病床選択ボタン３０５を操作することにより、制御装置４０の制御装置記憶部４００に予め記憶されている過去の全聴取履歴データのうち、読み出したいグループに該当する患者の聴取履歴データ、または読み出したい患者の聴取履歴データのみを、モニタ３０４に文字や絵等を用いて表示させ、ナースステーション内に在室中の看護師に報知することもできる。
［第３の動作］
次に、本発明の実施例による第３の動作について説明する。
【００５３】
図１のシステム構成図において、複数のベッド子機１ａ〜４ａ、１ｂ〜４ｂ、・・・がそれぞれ設置された病室内の病床毎の患者のうち、複数人の患者、ここでは、１０１号室内でベッド子機１ａ、４ａがそれぞれ病床に設置されている計２人の患者に対して選局放送を行うにあたり、選局放送先のベッド子機１ａ、４ａを選択して制御装置４０の制御装置記憶部４００に予め記憶させるためには、ナースコール親機３０のモニタ３０４上のタッチパネル３０４ａに予め表示されている選局放送先病床登録ボタン（図示せず）をナースステーション内に在室中の看護師が操作した後、ベッド子機１ａ、４ａにそれぞれ割り当てられている病床選択ボタン３０５を順次操作する。これらの登録操作を検出したナースコール親機３０は、ベッド子機１ａ、４ａの各子機番号を付加させた選局放送先病床登録信号を生成する。この選局放送先病床登録信号は、ナースコール親機３０から親機ラインＬ3を介して制御装置４０へと伝送される。
【００５４】
制御装置４０のＣＰＵ４０１は、ナースコール親機３０からの選局放送先病床登録信号に付加されている各子機番号をもとに、当該ナースコール親機からの選局放送先として、複数のベッド子機１ａ〜４ａ、１ｂ〜４ｂ、・・・のうち、ベッド子機１ａ、４ａの計２台が選局放送先であることを検出し、その旨の選局放送先病床設定データを制御装置記憶部４００に記憶する。
【００５５】
前述のように、複数のベッド子機１ａ〜４ａ、１ｂ〜４ｂ、・・・のうち、ベッド子機１ａ、４ａの計２台が選局放送先である旨の選局放送先病床設定データが制御装置４０の制御装置記憶部４００に予め記憶されている状態において、ナースステーション内に在室中の看護師がナースコール親機３０のモニタ３０４上のタッチパネル３０４ａに予め表示されている選局放送開始ボタン（図示せず）を操作すると、当該ナースコール親機から親機ラインＬ3を介して制御装置４０へと選局放送起動信号が伝送されるとともに、当該ナースコール親機のフックオフされたハンドセット３００（のマイク）または子機マイク３０１から親機ラインＬ3への信号伝送路が形成される。
【００５６】
制御装置４０のＣＰＵ４０１は、ナースコール親機３０からの選局放送起動信号をもとに、ナースステーション内に在室中の看護師により選局放送開始のための操作が行われたことを検出し、制御装置記憶部４００に予め記憶されている選局放送先病床設定データ、すなわち、選局放送先がベッド子機１ａ、４ａの計２台である旨の選局放送先病床設定データを読み出す。また、ＣＰＵ４０１は、選局放送先であるベッド子機１ａ、４ａをそれぞれれ指定するための各子機番号および当該子機番号に割り当てられている廊下灯番号、すなわち、廊下灯２０ａを指定するための廊下灯番号を制御装置記憶部４００から読み出し、読み出した各子機番号および廊下灯番号を付加させた選局放送信号を生成するとともに、親機ラインＬ3から廊下灯ラインＬ2への信号伝送路を形成する。なお、ＣＰＵ４０１にて生成された選局放送信号は、廊下灯ラインＬ2を介して全ての廊下灯２０ａ、２０ｂ、・・・へとそれぞれ伝送される。
【００５７】
全ての廊下灯２０ａ、２０ｂ、・・・は、それぞれ制御装置４０のＣＰＵ４０１からの選局放送信号に付加されている廊下灯番号と自廊下灯の廊下灯番号とを照合する。ここでは、廊下灯２０ａのみ当該廊下灯番号が一致し、この廊下灯２０ａは、廊下灯ラインＬ2から当該廊下灯、子機ラインＬ1aを介してベッド子機１ａ、４ａの各子機スピーカ１０３への信号伝送路を形成することにより、ナースコール親機３０のフックオフされたハンドセット３００（のマイク）または子機マイク３０１からベッド子機１ａ、４ａの各子機スピーカ１０３への通話路が形成されることになる。これにより、ナースステーション内に在室中の看護師は、ナースコール親機３０のモニタ３０４上のタッチパネル３０４ａに予め表示されている選局放送開始ボタン（図示せず）を操作するような簡単な操作を行うことのみで、フックオフされたハンドセット３００（のマイク）または子機マイク３０１に入力されベッド子機１ａ、４ａの各子機スピーカ１０３から出力（放音）された音（送話音声）を選局放送の内容として、１０１号室内でベッド子機１ａが病床に設置されている患者およびベッド子機４ａが病床に設置されている患者に聴覚を通じて容易に確認させることができる。
［第４の動作］
次に、本発明の実施例による第４の動作について説明する。
【００５８】
図１のシステム構成図において、複数のベッド子機１ａ〜４ａ、１ｂ〜４ｂ、・・・がそれぞれ設置された病室内の病床毎の患者のうち、一人または複数人の患者、ここでは、１０１号室内でベッド子機１ａが病床に設置されている患者を放送対象外の患者とし、放送対象外のベッド子機１ａを選択して制御装置４０の制御装置記憶部４００に予め記憶させるためには、ナースコール親機３０のモニタ３０４上のタッチパネル３０４ａに予め表示されている放送対象外病床登録ボタン（図示せず）をナースステーション内に在室中の看護師が操作した後、ベッド子機１ａに割り当てられている病床選択ボタン３０５を操作する。これらの登録操作を検出したナースコール親機３０は、ベッド子機１ａの子機番号を付加させた放送対象外病床登録信号を生成する。この放送対象外病床登録信号は、ナースコール親機３０から親機ラインＬ3を介して制御装置４０へと伝送される。
【００５９】
制御装置４０のＣＰＵ４０１は、ナースコール親機３０からの放送対象外病床登録信号に付加されている子機番号をもとに、当該ナースコール親機からの除局一斉放送先として、複数のベッド子機１ａ〜４ａ、１ｂ〜４ｂ、・・・のうち、ベッド子機１ａが放送対象外であることを検出し、その旨の放送対象外病床設定データを制御装置記憶部４００に記憶する。
【００６０】
前述のように、複数のベッド子機１ａ〜４ａ、１ｂ〜４ｂ、・・・のうち、ベッド子機１ａが放送対象外である旨の放送対象外病床設定データが制御装置４０の制御装置記憶部４００に予め記憶されている状態において、ナースステーション内に在室中の看護師がナースコール親機３０のモニタ３０４上のタッチパネル３０４ａに予め表示されている除局一斉放送開始ボタン（図示せず）を操作すると、当該ナースコール親機から親機ラインＬ3を介して制御装置４０へと除局一斉放送起動信号が伝送されるとともに、当該ナースコール親機のフックオフされたハンドセット３００（のマイク）または子機マイク３０１から親機ラインＬ3への信号伝送路が形成される。
【００６１】
制御装置４０のＣＰＵ４０１は、ナースコール親機３０からの除局一斉放送起動信号をもとに、ナースステーション内に在室中の看護師により除局一斉放送開始のための操作が行われたことを検出し、制御装置記憶部４００に予め記憶されている放送対象外病床設定データ、すなわち、放送対象外がベッド子機１ａである旨の放送対象外病床設定データを読み出す。また、ＣＰＵ４０１は、放送対象外のベッド子機１ａを指定するための子機番号および当該子機番号に割り当てられている廊下灯番号、すなわち、廊下灯２０ａを指定するための廊下灯番号を制御装置記憶部４００から読み出し、読み出した子機番号および廊下灯番号を付加させた除局一斉放送信号を生成するとともに、親機ラインＬ3から廊下灯ラインＬ2への信号伝送路を形成する。なお、ＣＰＵ４０１にて生成された除局一斉放送信号は、廊下灯ラインＬ2を介して全ての廊下灯２０ａ、２０ｂ、・・・へとそれぞれ伝送される。
【００６２】
全ての廊下灯２０ａ、２０ｂ、・・・は、それぞれ制御装置４０のＣＰＵ４０１からの除局一斉放送信号を受信すると、当該除局一斉放送信号に付加されている廊下灯番号と自廊下灯の廊下灯番号とが一致する、または不一致となるか否かにかかわらず、廊下灯ラインＬ2から当該廊下灯、子機ラインＬ1a、Ｌ1b、・・・を介してベッド子機１ｂを除く他のベッド子機２ａ〜４ａ、１ｂ〜４ｂ、・・・の各子機スピーカ１０３への信号伝送路を形成する、一方、廊下灯番号が一致した廊下灯２０ａでは、前述の信号伝送路のうち、当該除局一斉放送信号に付加されている子機番号と一致する放送対象外のベッド子機１ａへの信号伝送路を遮断することにより、ナースコール親機３０のフックオフされたハンドセット３００（のマイク）または子機マイク３０１からベッド子機１ａを除く他のベッド子機２ａ〜４ａ、１ｂ〜４ｂ、・・・の各子機スピーカ１０３への通話路が形成されることになる。これにより、ナースステーション内に在室中の看護師は、ナースコール親機３０のモニタ３０４上のタッチパネル３０４ａに予め表示されている一斉除局聴取開始ボタン（図示せず）を操作するような簡単な操作を行うことのみで、フックオフされたハンドセット３００（のマイク）または子機マイク３０１に入力されベッド子機１ａを除く他のベッド子機２ａ〜４ａ、１ｂ〜４ｂ、・・・の各子機スピーカ１０３から出力（放音）された音（送話音声）を除局一斉放送の内容として、１０１号室内でベッド子機１ａが病床に設置されている患者を除く他の全ての患者に聴覚を通じて容易に確認させることができる。
［第５の動作］
次に、本発明の実施例による第５の動作について説明する。
【００６３】
図１のシステム構成図において、複数のベッド子機１ａ〜４ａ、１ｂ〜４ｂ、・・・が病床毎にそれぞれ設置された１０１号室、１０２号室、・・・のような（複数の）病室のうち、病室選局放送先の病室を一室または複数室選択、ここでは、病室選局放送先として１０１号室を選択して制御装置４０の制御装置記憶部４００に予め記憶させるためには、ナースコール親機３０のモニタ３０４上のタッチパネル３０４ａに予め表示されている選局放送先病室登録ボタン（図示せず）をナースステーション内に在室中の看護師が操作した後、テンキーボタン（図示せず）等を操作して病室番号「１０１」をキー入力する。これらの登録操作を検出したナースコール親機３０は、１０１号室の病室番号「１０１」を付加させた選局放送先病室登録信号を生成する。この選局放送先病室登録信号は、ナースコール親機３０から親機ラインＬ3を介して制御装置４０へと伝送される。
【００６４】
制御装置４０のＣＰＵ４０１は、ナースコール親機３０からの選局放送先病室登録信号に付加されている病室番号「１０１」をもとに、当該ナースコール親機からの病室選局放送先として、１０１号室、１０２号室、・・・のような複数の病室のうち、１０１号室が病室選局放送先であることを検出し、その旨の選局放送先病室設定データを制御装置記憶部４００に記憶する。
【００６５】
前述のように、１０１号室、１０２号室、・・・のような複数の病室のうち、１０１号室が病室選局放送先である旨の選局放送先病室設定データが制御装置４０の制御装置記憶部４００に予め記憶されている状態において、ナースステーション内に在室中の看護師がナースコール親機３０のモニタ３０４上のタッチパネル３０４ａに予め表示されている病室選局放送開始ボタン（図示せず）を操作すると、当該ナースコール親機から親機ラインＬ3を介して制御装置４０へと病室選局放送起動信号が伝送されるとともに、当該ナースコール親機のフックオフされたハンドセット３００（のマイク）または子機マイク３０１から親機ラインＬ3への信号伝送路が形成される。
【００６６】
制御装置４０のＣＰＵ４０１は、ナースコール親機３０からの病室選局放送起動信号をもとに、ナースステーション内に在室中の看護師により病室選局放送開始のための操作が行われたことを検出し、制御装置記憶部４００に予め記憶されている選局放送先病室設定データ、すなわち、１０１号室が病室選局放送先の当該病室である旨の選局放送先病室設定データを読み出す。また、ＣＰＵ４０１は、病室選局放送先である１０１号室内に設置された４台のベッド子機１ａ〜４ａをそれぞれ指定するための各子機番号および当該子機番号に割り当てられている廊下灯番号、すなわち、廊下灯２０ａを指定するための廊下灯番号を制御装置記憶部４００から読み出し、読み出した各子機番号および廊下灯番号を付加させた病室選局放送信号を生成するとともに、親機ラインＬ3から廊下灯ラインＬ2への信号伝送路を形成する。なお、ＣＰＵ４０１にて生成された病室選局放送信号は、廊下灯ラインＬ2を介して全ての廊下灯２０ａ、２０ｂ、・・・へとそれぞれ伝送される。
【００６７】
全ての廊下灯２０ａ、２０ｂ、・・・は、それぞれ制御装置４０のＣＰＵ４０１からの病室選局放送信号に付加されている廊下灯番号と自廊下灯の廊下灯番号とを照合する。ここでは、廊下灯２０ａのみ当該廊下灯番号が一致し、この廊下灯２０ａは、廊下灯ラインＬ2から当該廊下灯、子機ラインＬ1aを介してベッド子機１ａ〜４ａの各子機スピーカ１０３への信号伝送路をそれぞれ形成することにより、ナースコール親機３０のフックオフされたハンドセット３００（のマイク）または子機マイク３０１からベッド子機１ａ〜４ａの各子機スピーカ１０３への通話路が形成されることになる。これにより、ナースステーション内に在室中の看護師は、ナースコール親機３０のモニタ３０４上のタッチパネル３０４ａに予め表示されている病室選局放送開始ボタン（図示せず）を操作するような簡単な操作を行うことのみで、フックオフされたハンドセット３００（のマイク）または子機マイク３０１に入力されベッド子機１ａ〜４ａの各子機スピーカ１０３から出力（放音）された音（送話音声）を選局放送の内容として、１０１号室内に設置されている全ての病床の患者に聴覚を通じて容易に確認させることができる。
【００６８】
なお、本発明の実施例における第１〜第５の各動作では、ナースコール親機３０にて行われた前述の登録操作により選択された聴取先である当該ベッド子機の子機番号、選局放送先である当該ベッド子機の子機番号、放送対象外である当該ベッド子機の子機番号、病室選局放送先である当該病室の病室番号をそれぞれ制御装置４０の制御装置記憶部４００に記憶させたが、この制御装置記憶部４００に代えて、ナースコール親機３０に図１のシステム構成図に示すような親機記憶部３０７を設け、前述の子機番号または病室番号を当該ナースコール親機毎、個別に記憶させることもできる。
【００６９】
また、本発明の実施例では、ナースコール親機３０にて行われる登録動作が必須として説明したが、特別な登録動作を行わず、聴取等の各種操作時の操作内容を制御装置４０の制御装置記憶部４００が自動的に記憶して登録するようにしてもよい。
【図面の簡単な説明】
【００７０】
【図１】本発明の実施例によるナースコールシステムを示すシステム構成図。
【符号の説明】
【００７１】
１ａ〜４ａ、１ｂ〜４ｂ、・・・……複数のベッド子機
１０２……子機マイク
１０３……子機スピーカ
２０ａ、２０ｂ、・・・……廊下灯
３０……ナースコール親機
３０４……モニタ
３０７……親機記憶部
４０……制御装置
４００……制御装置記憶部
４０１……ＣＰＵ
【図１】
2006129229.tif 000003